【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
以下の式Ｉ
【化１】
2018513885.tif 000001
式中、
Ａｒは、アリールケトン部分であり、
Ｘ１は、任意であり、存在すれば、ＣＨ２；直鎖状アルキル基；分岐状アルキル基；シクロアルキル基；ヘテロ原子、カルボニル、エステル、カーボネートおよびそれらの混合物の少なくとも１つを任意の位置に含む直鎖状アルキル基；ヘテロ原子、カルボニル、エステル、カーボネートおよびそれらの混合物の少なくとも１つを任意の位置に含む分岐状アルキル基；またはヘテロ原子、カルボニル、エステル、カーボネート、およびそれらの混合物の少なくとも１つを任意の位置に含むシクロアルキル基の一つであり、
Ｘ２は、直鎖状アルキル基；分岐状アルキル基；シクロアルキル基；ヘテロ原子、カルボニル、エステル、カーボネートおよびそれらの混合物の少なくとも１つを任意の位置に含む直鎖状アルキル基；ヘテロ原子、カルボニル、エステル、カーボネートおよびそれらの混合物の少なくとも１つを任意の位置に含む分岐状アルキル基；またはヘテロ原子、カルボニル、エステル、カーボネート、およびそれらの混合物の少なくとも１つを任意の位置に含むシクロアルキル基の一つであり、および
Ｒは、ＨまたはＣＨ３である、
で定義される構造を有する光開始剤。  
【請求項２】
Ａｒが、
【化２】
2018513885.tif 000002
式中、
Ｒ２、Ｒ３およびＲ４は、独立して、直鎖状アルキル基、分岐状アルキル基、シクロアルキル基、アルキレンオキシ基、アルケニル基、アリール基、またはヘテロ原子を含むアルキル基、カルボニル基、Ｈ、Ｆ、Ｃｌ、Ｂｒ、Ｉ、ＯＲ、ＮＲ２、またはＳＲであり、ＯＲ、ＮＲ２、またはＳＲ中のＲは、アルキル、アリールまたはヘテロアリール基の１つである、
からなる群から選択される、請求項１に記載の光開始剤。
【請求項３】
光開始剤が、
【化３】
2018513885.tif 000003
およびこれらの混合物からなる群から選択される、請求項１に記載の光開始剤。
【請求項４】
以下の式ＩＩ
【化４】
2018513885.tif 000004
式中、
Ａｒは、アリールケトン部分であり、
Ｒ１は、直鎖状アルキル基；分岐状アルキル基；シクロアルキル基；ヘテロ原子、カルボニル、エステル、カーボネート、およびそれらの混合物の少なくとも１つを任意の位置に含む直鎖状アルキル基；ヘテロ原子、カルボニル、エステル、カーボネートおよびそれらの混合物の少なくとも１つを任意の位置に含む分岐状アルキル基；ヘテロ原子、カルボニル、エステル、カーボネート、およびそれらの混合物の少なくとも１つを任意の位置に含むシクロアルキル基；ポリエーテル；ポリカプロラクトン；またはポリカーボネートの一つであり、および
ＲはＨまたはＣＨ３である、
で定義される構造を有する光開始剤。
【請求項５】
以下の式ＩＩＩ
【化７】
2018513885.tif 000005
式中、
Ａｒは、アリールケトン部分であり、ｎは、１〜１０の範囲であり、および
Ｒは、直鎖状、分岐状または超分岐状ポリエチレングリコール；直鎖状、分岐状または超分岐状ポリプロピレングリコール；直鎖状、分岐状または超分岐状のポリテトラヒドロフラン；直鎖状、分岐状または超分岐状ポリエステルポリオール；直鎖状、分岐状または超分岐状ポリカーボネートポリオール；直鎖状、分岐状または超分岐状ポリカプロラクトンポリオールからなる群から選択される二価または多価のポリマー骨格である、
で定義される構造を有する光開始剤。
【請求項６】
光開始剤が、
【化９】
2018513885.tif 000006
およびこれらの混合物からなる群から選択され、式中、ｎの値が、１〜３００である、請求項５に記載の光開始剤。
【請求項７】
複数の１種以上のアクリルモノマーと、請求項１に記載の１種以上の光開始剤との反応生成物であるアクリルポリマーを含む紫外線硬化性ポリマーであって、アクリルポリマーが、紫外線照射時に光開始剤基を介して架橋可能である紫外線硬化性ポリマー。
【請求項８】
光開始剤が、アクリルポリマーを得るための重合に使用されるアクリレートモノマーの全モル数に基づいて、０．１〜１０モル％の量で存在する、請求項７に記載の紫外線硬化性ポリマー。
【請求項９】
Ａｒが、
【化１１】
2018513885.tif 000007
式中、
Ｒ２、Ｒ３およびＲ４は、独立して、直鎖状アルキル基、分岐状アルキル基、シクロアルキル基、アルキレンオキシ基、アルケニル基、アリール基、またはヘテロ原子を含むアルキル基、カルボニル基、Ｈ、Ｆ、Ｃｌ、Ｂｒ、Ｉ、ＯＲ、ＮＲ２、またはＳＲであり、ＯＲ、ＮＲ２、またはＳＲ中のＲは、アルキル、アリールまたはヘテロアリール基の１つである、
からなる群から選択される、請求項７に記載の紫外線硬化性ポリマー。
【請求項１０】
光開始剤が、
【化１２】
2018513885.tif 000008
およびこれらの混合物からなる群から選択される、請求項７に記載の紫外線硬化性ポリマー。
【請求項１１】
アクリルモノマーが、アクリル酸、メタクリレート、メチルメタクリレート、エチルアクリレート、２−クロロエチルビニルエーテル、２エチルヘキシルアクリレート、アセトアセトキシエチルメタクリレート（ＡＡＥＭ）、ヒドロキシエチルメタクリレート、ブチルアクリレート、ブチルメタクリレート、トリメチロールプロパントリアクリレート（ＴＭＰＴＡ）、およびそれらの混合物からなる群から選択される、請求項７に記載の紫外線硬化性ポリマー。
【請求項１２】
複数の１種以上のアクリルモノマーと、請求項４に記載の１種以上の光開始剤との反応生成物であるアクリルポリマーを含む紫外線硬化性ポリマーであって、アクリルポリマーが、紫外線照射時に光開始剤基を介して架橋可能である紫外線硬化性ポリマー。
【請求項１３】
光開始剤が、
【化１５】
2018513885.tif 000009
である、請求項１２に記載の紫外線硬化性ポリマー。
【請求項１４】
複数の１種以上のアクリルモノマーと、請求項５に記載の１種以上の光開始剤との反応生成物であるアクリルポリマーを含む紫外線硬化性ポリマーであって、アクリルポリマーが、紫外線照射時に光開始剤基を介して架橋可能である紫外線硬化性ポリマー。
【請求項１５】
紫外線硬化性であり、複数の１種以上のアクリルモノマーと、請求項１に記載の１種以上の光開始剤との反応生成物であるアクリルポリマー、および任意に粘着付与剤を含むホットメルト感圧接着剤であって、アクリルポリマーが、紫外線照射時に光開始剤基を介して架橋可能であるホットメルト感圧接着剤。
【請求項１６】
少なくとも１つの粘着付与剤が存在し、少なくとも１つの粘着付与剤が、ロジンエステル、テルペンフェノール、水素化ロジンのエステル、合成炭化水素、およびこれらの混合物を含む、請求項１５に記載の紫外線硬化性ホットメルト感圧接着剤。
【請求項１７】
紫外線硬化性であり、複数の１種以上のアクリルモノマーと、請求項４に記載の１種以上の光開始剤との反応生成物であるアクリルポリマー、および任意に粘着付与剤を含むホットメルト感圧接着剤であって、アクリルポリマーが、紫外線照射時に光開始剤基を介して架橋可能であるホットメルト感圧接着剤。
【請求項１８】
光開始剤が、アクリルポリマーを得るための重合に使用されるアクリレートモノマーの全モル数に基づいて、０．１〜１０モル％の量で存在する、請求項１７に記載の紫外線硬化性ホットメルト感圧接着剤。
【請求項１９】
光開始剤が、
【化２４】
2018513885.tif 000010
である、請求項１７に記載の紫外線硬化性ホットメルト感圧接着剤。
【請求項２０】
紫外線硬化性であり、複数の１種以上のアクリルモノマーと、請求項５に記載の１種以上の光開始剤との反応生成物であるアクリルポリマー、および任意に粘着付与剤を含むホットメルト感圧接着剤であって、アクリルポリマーが、紫外線照射時に光開始剤基を介して架橋可能であるホットメルト感圧接着剤。